(57)【特許請求の範囲】
【請求項１】
人爪に装着可能な付け爪であって、
その材料の一部として、導電性材料を含み、装着される人体の皮膚に接触される形状であることを特徴とする付け爪。
【請求項２】
人爪に装着可能な付け爪であって、
その材料の一部として、導電性材料を含み、弾力性を有していることを特徴とする付け爪。
【請求項３】
人爪に装着可能な付け爪であって、
その材料の一部として、導電性材料を含み、先端側の一部が弾力性部材にて構成されていることを特徴とする付け爪。
【請求項４】
装着される人体の皮膚に接触される形状であることを特徴とする請求項２または３に記載の付け爪。
【請求項５】
弾力性を有していることを特徴とする請求項１に記載の付け爪。
【請求項６】
先端側の一部が弾力性部材にて構成されていることを特徴とする請求項１に記載の付け爪。
【請求項７】
上記導電性材料が、カーボン系材料、金属系材料、もしくは電気伝導性樹脂であることを特徴とする請求項１から６の何れか一項に記載の付け爪。
【発明の詳細な説明】
【技術分野】
【０００１】
本発明は、付け爪およびマニキュアに関し、特に静電容量方式のタッチパネルへの操作性を考慮した付け爪およびマニキュアに関する。
【背景技術】
【０００２】
特に女性において、美的要求を満たす等の目的のために、爪を指の輪郭位置から先に長く伸ばす長爪や付け爪が普及している。図５に、手指に付け爪を装着する状況を示している。
【０００３】
上記長爪や付け爪が普及している一方、近年では、男女を問わず、スマートフォン等の携帯情報機器の普及が進んでいる。更に、スマートフォン等の携帯情報機器を始めとする様々な電子機器では、タッチパネルの搭載が急速に進んでいる。
【０００４】
タッチパネルにおいては、抵抗膜方式が広く普及しているが、抵抗膜方式のタッチパネルでは、複数のタッチ箇所を同時に検出できないといった欠点がある。このため、複数のタッチ箇所を同時に検出可能な静電容量方式のタッチパネルの普及も進みつつある。
【０００５】
また、タッチパネルの入力を行うには、指で直接タッチしたり、あるいはタッチパネル入力に適したタッチペン（特許文献１：図６参照）を用いる場合もある。
【先行技術文献】
【特許文献】
【０００６】
【特許文献１】特開平９−２８２０９９号公報（１９９７年１０月３１日公開）
【発明の概要】
【発明が解決しようとする課題】
【０００７】
しかしながら、静電容量方式のタッチパネルでは、指でタッチ操作を行った場合はタッチ操作が認識されるが、爪でタッチ操作を行った場合にはタッチ操作が認識されない。これは、静電容量方式のタッチパネルは、パネルに触れた物体の導電性に反応して、タッチ操作を認識するためである。爪でタッチ操作を行った場合には、爪の有する導電性が乏しいことにより、そのタッチ操作にタッチパネルが反応しない。
【０００８】
さらに、上記背景技術に記載したように、長爪や付け爪が普及している状況において、静電容量方式のタッチパネルには人爪は反応しないため、長爪や付け爪でのタッチパネル入力は困難であるといった問題がある。
【０００９】
この課題解消のために、導電性を有するタッチペンの利用が考えられるが、このためには、予め導電性を有するタッチペンの準備が必要となる。また、タッチペンの利用は、メール等の文章入力等で大量のタッチ操作を行う場合は、ペンを握っている手の疲労を伴う上に、誤操作による誤入力の発生が生じる恐れがある。また、タッチペンの紛失の恐れがあり、紛失するとタッチ操作ができなくなってしまうことになる。
【００１０】
本願発明は、上記課題に鑑みてなされたものであり、長爪の人や付け爪を装着した人においても、静電容量方式のタッチパネルへのタッチ操作を快適に行うことが可能となる付け爪を提供することを目的とする。
【課題を解決するための手段】
【００１１】
本発明の付け爪は、上記の課題を解決するために、人爪に装着可能な付け爪であって、その材料の一部として、導電性材料を含み、装着される人体の皮膚に接触される形状であることを特徴としている。
【００１２】
上記の構成によれば、付け爪の材料の一部として導電性材料を含ませることにより、該付け爪は導電性を有する。このため、上記付け爪を装着した状態で、静電容量方式のタッチパネル操作が可能となる。
【００１３】
また、上記付け爪は、装着される人体の皮膚に接触される形状である構成としていることにより、上記付け爪は、装着される人爪だけでなく皮膚にまで接触することで、付け爪と人体とが同電位となり、より好ましいものとなる。
【００１４】
また、本発明の付け爪は、人爪に装着可能な付け爪であって、その材料の一部として、導電性材料を含み、全体的に弾力性を有していることを特徴としている。これにより、タッチパネルとの接触箇所も弾力性を有することになり、タッチ操作時にタッチパネル表面にキズをつけにくくなる。また、付け爪全体に弾力性を与える場合、一つの付け爪を１つの部材として製造できるため、その製造が容易となる。
【００１５】
また、本発明の付け爪は、人爪に装着可能な付け爪であって、その材料の一部として、導電性材料を含み、先端側の一部が弾力性部材であることを特徴としている。これにより、タッチパネルとの接触箇所が弾力性を有することになり、タッチ操作時にタッチパネル表面にキズをつけにくくなる。また、付け爪の先端部以外では、付け爪の色合いや光沢などの装飾性を優先した材料選択が可能となる。
【００１６】
また、上記付け爪は、上記導電性材料が、カーボン系材料、金属系材料、もしくは電気伝導性樹脂である構成とすることができる。
【発明の効果】
【００１７】
本発明の付け爪は、材料の一部として導電性材料を含ませることにより導電性が与えられる。このため、付け爪であっても、静電容量方式のタッチパネル操作が可能となるといった効果を奏する。
【図面の簡単な説明】
【００１８】
【図１】本発明の一実施形態を示すものであり、実施の形態１に係る付け爪の装着状況を示す斜視図である。
【図２】本発明の一実施形態を示すものであり、実施の形態１に係る他の付け爪の装着状況を示す斜視図である。
【図３】図２に示す付け爪の断面図である。
【図４】本発明の一実施形態を示すものであり、実施の形態２に係るマニキュアの塗布状況を示す斜視図である。
【図５】従来の付け爪の装着状況を示す斜視図である。
【図６】タッチパネルのタッチ操作に使用されるタッチペンを示す外観図である。
【発明を実施するための形態】
【００１９】
以下、本発明の実施の形態について、図面を参照しながら詳細に説明する。
【００２０】
〔実施の形態１〕
本実施の形態１では、本発明を付け爪に適用する場合の実施形態を示す。図１は、手指に本実施の形態にかかる付け爪１の装着状況を示す図である。付け爪１は、これを装着した状態で、静電容量方式のタッチパネルへのタッチ操作が可能となるよう、適度な導電性を有していることを特徴としている。このため、付け爪１は、その部材に導電性を有する材料を用いている。
【００２１】
付け爪１に導電性を持たせるためには、ベース材料となるプラスチックに、導電性材料を混合させることが考えられる。この場合、ベース材料となるプラスチックには、例えば、ＡＢＳ樹脂，ナイロン，アクリル樹脂等が使用可能である。また、ベース材料に混合させる導電性材料としては、カーボンブラック，炭素繊維，黒鉛等のカーボン系材料や、金属微粉末，金属酸化物，金属繊維，ウイスカー等の金属系材料を用いることができる。これらのカーボン系材料または金属系材料からなる導電性材料は、微粒子状にしてベース材料に混合される。
【００２２】
あるいは、付け爪１は、ベース材料自体に電気伝導性樹脂を用いてもよい。この場合は、ポリアクリルニトリル熱分解物や、ポリアセチレン，ポリ銅フタロシアニン，ポリビニルアントラセンヨード，ポリビニルピリジンテトラシアノキノジメタン等の電気伝導性樹脂を用いることができる。
【００２３】
さらに、付け爪１は、その装飾性を向上させるためのガラスピースや、強度を向上させるための合成繊維を含んで構成されていても良い。
【００２４】
付け爪１は、上述のようにして導電性を持たせた付け爪材料を、指形状に湾曲させて形成し、さらに人爪の大きさに合わせて切削することによって製造できる。
【００２５】
ここで、付け爪１は、これが装着される人体の爪の大きさより大きな形状であり、皮膚に接触される形状とすることができる。この場合、付け爪１が皮膚と接触することで、付け爪１と人体とが同電位となり、より好ましいものとなる。さらに、付け爪１を人体に装着するに際して、装着剤にも導電性を有する材料を使用することが好ましい。
【００２６】
一般的な付け爪は、比較的硬質な部材として形成される。しかしながら、本発明に係る付け爪は、これをつけたままでのタッチパネル操作を想定するものであり、タッチパネル表面にキズをつけないように、ある程度の弾力性を持たせることが好ましい。図１に示す付け爪１では、ベース材料に弾力性を有する樹脂を使用することで、付け爪１に対して全体的に適度な弾力性を持たせることが可能である。
【００２７】
一方、付け爪における本来の役割は、あくまで爪の装飾であり、特に付け爪に光沢性を持たせるためには、付け爪全体に弾力性を有するベース樹脂を使用することは好ましくない場合もある。このため、図２に示す付け爪２は、先端側の一部、すなわちタッチパネルとの接触箇所を弾力性部材２１とし、付け爪の大部分を硬質部材２２としている。
【００２８】
弾力性部材２１と硬質部材２２とは互いに接着されて付け爪２を構成するが、十分な接着強度を確保するためには、図３に示すように、接着面を付け爪の主面に対して斜めにすることが好ましい。これによって、接着面を大きく取ることができ、十分な接着強度を得ることができる。
【００２９】
さらに、上記接着面は、付け爪の装着面側では爪の根元側に近く、付け爪の表面側では爪の先端側に近くなるように斜めに形成されることが好ましい。これは、以下の２つの理由による。一つは、付け爪の表面側において、より装飾性に優れた硬質部材２２の露出面積が広くなるためである。もう一つは、タッチパネルの操作時に付け爪先端に掛かる力が、上記接着面に対して弾力性部材２１を剥がす力として作用しないためである。
【００３０】
このように、タッチパネルとの接触箇所に弾力性を持たせた付け爪では、付け爪を装着した状態でのタッチ操作が可能になると共に、タッチ操作時のタッチパネルの破損の恐れを低減できる。
【００３１】
さらに、本実施の形態に係る付け爪１，２においては、タッチ操作を行うことを鑑みて以下の形状的特徴を有することが好ましい。まず、タッチパネルとの接触箇所を細くすることが好ましい。これにより、より精細な位置の判別が可能なタッチ操作ができる。また、
タッチパネルとの接触箇所を丸くすることが好ましい。これにより、タッチ操作時のタッチパネルの破損の恐れをより低減できる。
【００３２】
このような導電性を有する付け爪１，２を人指に装着することにより、従来困難を生じていた付け爪を付けた状態での静電容量方式のタッチパネル操作についても、付け爪を装着した状態での操作が可能となる。
【００３３】
〔実施の形態２〕
本実施の形態２では、本発明をマニキュアに適用する場合の実施形態を示す。図４は、人爪に本実施の形態にかかるマニキュア３を塗布した状況を示す図である。マニキュア３は、これが塗布された爪が長爪である場合でも、静電容量方式のタッチパネルへのタッチ操作が可能となるよう、適度な導電性を有していることを特徴としている。
【００３４】
マニキュア３に導電性を持たせるためには、ベースとなる基剤に導電性材料が混合される。上記導電性材料としては、カーボンブラック、炭素繊維、黒鉛等のカーボン系材料や、金属微粉末、金属酸化物、金属繊維、ウイスカー等の金属系材料を用いることができる。これらのカーボン系材料または金属系材料からなる導電性材料は、微粒子状にしてベース材料に混合される。
【００３５】
また、基剤に混合される導電性材料は、ポリアクリルニトリル熱分解物やポリアセチレン、ポリ銅フタロシアニン、ポリビニルアントラセンヨード、ポリビニルピリジンテトラシアノキノジメタン等の電気伝導性樹脂であっても良い。
【００３６】
さらに、マニキュア３は、その装飾性を向上させるためのガラスピースや、塗布・乾燥後の強度を向上させるための合成繊維を含んで構成されていても良い。
【００３７】
このような導電性を有するマニキュアを長爪に塗布することにより、従来困難を生じていた静電容量方式のタッチパネル操作が可能となる。あるいは、導電性を有さない付け爪であっても、上記マニキュアを塗布することにより、静電容量方式のタッチパネル操作が可能となる。
【００３８】
上記実施の形態１及び２に係る付け爪及びマニキュアは、静電容量方式のタッチパネルへのタッチ操作を可能とするために、爪先に導電性を与えることを特徴としている。但し、ここでいう導電性とは、静電容量方式のタッチパネルが確実に反応できる程度の導電性であればよい。
【００３９】
すなわち、本発明の付け爪及びマニキュアにおいて、静電容量方式のタッチパネル操作を確実に行うといった機能性の観点からは、導電性の上限は特に限定されない。しかしながら、装飾性の観点から見れば、カーボン系材料や金属系材料からなる導電性材料の混合率を高くすると、色合いや光沢性を低下させることもある。このため、導電性材料の混合率をできる限り低下させたいといった要求が生じる可能性もある。このような場合、付け爪及びマニキュアの導電性は、少なくとも、人体が有する導電性と同程度の導電性（導電率１０００〜２００００μΩ／ｃｍ）として、その範囲で導電性材料の混合率が最小となるようにすれば良い。
【００４０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００４１】
本発明の付け爪は、人体と同程度の導電性を有している構成とすることができる。これにより、上記付け爪は、静電容量方式のタッチパネル操作を確実に行うといった機能を確保しつつ、導電性材料の混合による付け爪の装飾性の低下を最小限に抑えることができる。
【００４２】
本発明のマニキュアは、上記の課題を解決するために、人爪もしくは付け爪の表面に塗布されるマニキュアであって、その材料の一部として、導電性材料を含んでいることを特徴としている。
【００４３】
上記の構成によれば、マニキュアの材料の一部として導電性材料を含ませることにより、該マニキュアは導電性を有する。このため、長爪や付け爪であっても上記マニキュアを塗布することによって、静電容量方式のタッチパネル操作が可能となる。
【００４４】
また、上記マニキュアは、人体と同程度の導電性を有している構成とすることができる。これにより、上記マニキュアは、静電容量方式のタッチパネル操作を確実に行うといった機能を確保しつつ、導電性材料の混合によるマニキュアの装飾性の低下を最小限に抑えることができる。
【００４５】
また、上記マニキュアは、上記導電性材料が、カーボン系材料、金属系材料、もしくは電気伝導性樹脂である構成とすることができる。
【００４６】
本発明の方法は、静電容量方式のタッチパネルへの爪でのタッチ操作を可能とするために、爪に装着される付け爪または塗布されるマニキュアに導電性を与えることを特徴としている。
【産業上の利用可能性】
【００４７】
本発明は、爪先に導電性を与えることで長爪や付け爪での静電容量方式のタッチパネルへのタッチ操作を可能とするものであり、付け爪およびマニキュアに利用することができる。
【符号の説明】
【００４８】
１，２    付け爪
３        マニキュア
２１      弾力性部材
２２      硬質部材
【図１】
0005400934.tif 000002
【図２】
0005400934.tif 000003
【図３】
0005400934.tif 000004
【図４】
0005400934.tif 000005
【図５】
0005400934.tif 000006
【図６】
0005400934.tif 000007